【事件の表示】
　特願２００８−５４４０３５「生体画像取得装置」拒絶査定不服審判事件〔平成２０年　５月２２日国際公開、ＷＯ２００８／０５９５７２〕について、次のとおり審決する。
【結　論】
　本件審判の請求は、成り立たない。
【理　由】
第１　手続の経緯 
　本願は，２００６年１１月１６日を国際出願日とする出願であって，平成２３年１１月２５日付けで拒絶理由が通知され，平成２４年１月２５日付けで手続補正がなされ，同年２月１６日付けで拒絶査定がなされ，同年５月１８日に拒絶査定不服審判の請求がなされ，平成２５年３月１８日付で当審拒絶理由が通知され，同年５月１７日付けで手続補正がなされたものである。
　
第２　本願発明
　本願の請求項１〜１３に係る発明は，平成２５年５月１７日付け手続補正書により補正された特許請求の範囲の請求項１〜１３に記載された事項により特定されたものであって，その請求項１に係る発明は，次のとおりのものであると認める。　 
「【請求項１】
生体試料が載置される試料ホルダーと，　前記試料ホルダー上の試料から放出される光の像を撮影する１つの２次元検出器と，　前記２次元検出器が撮影した画像を表示する画像表示装置と，　前記試料ホルダー上の試料を複数の方向から同時に観測するとともに，試料から放出される各方向の光の画像を前記２次元検出器に同時に導く導光光学系と，　前記２次元検出器と導光光学系との間に配置され，前記導光光学系により導かれた複数の画像を前記２次元検出器上に結像する１つの主結像レンズと，を備
え，
前記導光光学系は試料の異なる部位の画像を反射して前記２次元検出器に導く複数の反射鏡からなる多面反射鏡を含むとともに，試料の軸方向に垂直な１つの方向に前記主結像レンズと前記２次元検出器とを配置し，前記導光光学系の反射鏡は試料の軸方向と平行な直線を含む面を反射面としてもつ，
　
第３　引用刊行物記載の発明 （下線は当審で付与した。）
 （１）本願出願前に頒布され当審の拒絶理由にて引用した刊行物である特表２００４−５３４９５４号公報（以下，「引用刊行物１」という。）には，「マルチビュー画像化装置」に関し，図面の図示とともに次の事項が記載されている。 
 　 
 （１−ア）「【請求項１】 
 　
試料の画像をカメラでキャプチャする画像化システムであって，
 　
内部空間を閉じる一組の壁を持つ画像化ボックス
 　前記カメラで見るために前記壁のうちの一つに固定された基準線に対して前記カメラを位置付けるように構成されるカメラマウント， 
 　
光伝送デバイス
 　移動機構および前記内部空間内で前記
試料を支持するよう構成されるステージを含む可動ステージ装置
前記移動機構および前記光伝送デバイスは協働して前記試料から反射または放射された光を前記固定された基準線に導くことで前記カメラによって前記画像をキャプチャする，可動ステージ装置
 　 
 （１−イ）「【技術分野】 
 　【０００１】 
 　本発明は，大きくは画像化システムおよびその使用方法に関する。より具体的には本発明は，複数の視点から画像をキャプチャするのに用いられる画像化システムおよび方法に関する。 
 【背景技術】 
 　【０００２】 
 　画像化のある特別な種類は，低い強度の光（個々の光子のオーダーである）を発光する試料からキャプチャすること，および光子放射データに基づく画像の構築を伴う。この試料中の光源は，関心のある活性の源を視覚的に示す。例えば，特定のインビボ画像化の応用例は，標本の写真式表現上にスーパーインポーズされた，標本の内部からの光子放射の一つ以上の表現の分析を含む。ルミネセンス（発光，luminescence）表現は，対象となる活動が行われている標本の部分を示す。写真的表現は，ユーザに標本の画像的な基準を提供する。 
 　【０００３】 
 　インビボ画像化は，試料の画像をカメラを用いてキャプチャすることによって行われる。増倍または冷却電荷結合素子（ＣＣＤ）カメラは，試料中の低強度発光細胞の所在を検出するのにしばしば用いられる。これらのカメラは，かなり複雑で特殊な冷却を必要とし，試料室の上部の単一の場所に固定される。ユーザは，上方のカメラの視野内の試料室の底部の所定の位置に試料を置く。カメラおよび試料のこの静的な関係によって，画像キャプチャは上からの画像だけに限定される。 
 　【０００４】 
 　しばしば，試料の異なる視像をキャプチャすることが望ましい。例えば，哺乳類試料の下側から内部の発光細胞を検出することは，上方カメラによってキャプチャされる前に光が透過しなければならない周りを覆う細胞によって影響されえる。異なる角度からのデータを集めることによって，動物の中の光源の位置および強度についてユーザは，単一の視点だけを用いて可能であるよりもより多くの情報を得ることができる。しかし上方のカメラを用いるとき，異なる視像をキャプチャするために試料を再位置決めするのは非実用的でありえる。」 
 　 
 （１−ウ）「【発明の開示】 
 【発明が解決しようとする課題】 
 　【０００５】 
 　上述のことを鑑みて，
試料の姿勢を再位置決めすることなく異なる視点群からの画像群をキャプチャできる改良された画像化システムが非常に望まれる
 　 
 （１−エ）「【課題を解決するための手段】 
 　【０００６】 
 　本発明は，試料の画像をキャプチャするシステムおよび方法に関する。
試料は，画像化ボックス内の可動ステージ上に置かれる。可動ステージは，試料の画像，またはその一部がカメラによって画像化ボックス内の異なる視点，角度，および位置から，試料の姿勢を再位置決めすることなくキャプチャされることを可能にする
光伝送デバイスは，試料から放射または反射された光をカメラに関連付けられた共通な基準線に伝達する
 　 
 （１−オ）「【００１６】 
 　Ｉ．画像化システム 
 　【００１７】 
 　ある局面において，本発明は大きくは改良された画像化システムに関する。
図１Ａは，本発明のある実施形態によって写真および発光画像をキャプチャする画像化システム１０を示す
 　【００１８】 
 　画像化システム１０は，発光試料を受け入れる画像化ボックス１２を備え，このボックス中では低強度の光，例えばルシフェラーゼによる発光が検出される。画像化ボックス１２は，ボックスの側面鉛直壁上にある，カメラを取り付けるカメラマウント１０９を持つハウジング１６を含む（図２Ａ〜２Ｃ）。画像化ボックス１２は，「光が漏れない」ように構成され，すなわち，実質的に全ての外部光は周囲の室内からボックス１２へと入射することを阻止される。 
 　【００１９】 
 　高感度カメラ，例えば増倍された，または
電荷結合素子（ＣＣＤ）カメラ２０が，ハウジングに固定されたカメラマウント１０９を好ましくは通して画像化ボックス１２に取り付けられる。ＣＣＤカメラ２０は，画像化ボックス１２内で，試料の発光および写真（すなわち反射光による画像）の画像をキャプチャすることができる
 　【００２０】 
 　画像処理ユニット２６はカメラ２０およびコンピュータ２８をそれぞれケーブル３０および３２を通してインタフェースしてもよい。コンピュータ２８は任意の適切な種類でありえ，典型的にはプロセッサ，ランダムアクセスメモリ（ＲＡＭ）および読み出し専用メモリ（ＲＯＭ）のようなメモリ要素，およびディスクドライブ要素（例えばハードドライブ，ＣＤ，フレキシブルディスクドライブなど）を含むハードウェアを含むメインユニット３６を備える。
コンピュータ２８はまたディスプレイ３８
を含む
 　【００２１】 
 　これら要素の通信および制御を提供するために，コンピュータ２８は，画像化ボックス１２中の任意のデバイスを制御する出力を提供するように構成された適切な処理ハードウェアおよびソフトウェアを含む。…コンピュータ２８はまた，画像化情報をユーザに提示するためのディスプレイ３８と通信する。例として，
ディスプレイ３８は，ユーザが画像化の結果を視覚化できるようにし，かつ画像化システム１０を制御するためのインタフェースとして機能する画像測定グラフィックユーザインタフェース（ＧＵＩ）を提供するモニタでありえる
　
（１−カ）「【００２３】 
 　
画像化システム１０は，さまざまな視点およびカメラ２０に対する試料の位置から複数の画像をキャプチャするのに適している
画像化システム１０は，ルシフェラーゼ発光細胞（luciferase-expressing cells）からの発光，蛍光分子からの蛍光などの低強度光源の２−Ｄおよび構造化光画像化のために用いられる。低強度光源は，任意の種類の発光体または試料から放射されえ，これらには例えば，
ルシフェラーゼ発光細胞を持つマウスを含むさまざまな哺乳類の対象物のような，発光分子を含む動物または植物が含まれる
 　【００２４】 
 　ある実施形態において試料は，発光細胞を含む生物学的試料である。したがって結果として生じる発光画像は，試料そのもの以外の光源を用いることなくキャプチャされえる。試料からの発光は，位置の関数として記録されることで発光画像を作る。そのような複合型の写真／発光画像を発生するアプローチの一つは，Ｃｏｎｔａｇらに１９９７年７月２２日に発行された米国特許第５，６５０，１３５号に記載されている。この特許の開示内容全体が全ての目的のためにここで参照によって援用される。 
 　【００２５】 
 　ある特定の実施形態において
２−Ｄ発光画像は，ある規定された期間にわたってＣＣＤカメラ２０のそれぞれの検出器ピクセルによって受け取られた放射された光子の集積を表現する
　
（１−キ）「【００３２】 
 　図２Ｃ〜２Ｅを参照して，
カメラ２０は，カメラレンズ１００がボックス１２の側壁１０３ｂに形成されたポート１０１を通して内部空間４４を見るように側面ハウジング１６にマウントされる
 　【００３３】 
 　フォーカス機構１０６（図２Ｅ）は，そのフォーカスを合わせるためにレンズの往復運動を提供する。フォーカス機構は，レンズ支持体１０７を含み，これは上部ハウジング１６にマウントされた静止部分およびネジ山が切られた内径１１３を含む可動部分を示す。ボルト１０８は内径１１３と係合可能であり，カメラレンズ１００をフォーカスが合うように移動させるために，カメラレンズフォーカスモータ１１４の対応する駆動ホイール１１２を通して歯の付けられたベルト１１０によって駆動されるホイールを含む。カメラレンズフォーカスモータ１１４は，電気要素５６と電気的に通信し，図１Ａのコンピュータ２８に含まれるプロセッサによって制御される。 
 　【００３４】 
 　固定された基準線は，カメラレンズ１００の場所の直線に沿ってボックス１２の内部空間４４へつながる固定された領域を表す。よって
固定された基準線１０７は，側壁１０３ｂに実質的に垂直な向きに内部空間からカメラレンズ１００の中心を通って（図２Ａ〜Ｅ）伸びる。この基準線１０７は簡単のために，移動機構２０２および光伝送デバイス１１１がその上でそれらの間で協働して試料から反射または放射された光をカメラレンズ１００に向かってレンズ中へと導き，カメラ２０によって画像をキャプチャする場所の基準線を提供する静止した軸によって表される
 　【００３５】 
 　図２Ｃに示されるように，カメラマウント１０９は，側壁１０３ｂの側面ハウジング１６に取り付けられる。カメラマウント１０９は，空間４４内の試料１０６をカメラ２０によって見るためにカメラ２０を受け入れ，固定基準線１０７に対して位置付けるように構成される。カメラ２０は試料１０６の写真の画像（すなわち反射に基づく画像）をキャプチャすることができる一方で，その発光画像をキャプチャできるだけ充分に高感度でもある。カメラ２０は，電荷結合素子（ＣＣＤ），フォトダイオードアレイ，フォトゲートアレイ，または同様の画像キャプチャデバイスを利用しえる。」 
 
（１−ク）「【００４０】 
 　
図２Ａ〜２Ｃにおいて最もよくわかる光伝送デバイス１１１は，試料１０６から反射または放射された光を固定基準線１０７の向きに沿って導き，カメラ２０による画像キャプチャのためにレンズ１００に入射させる
ミラーアセンブリ１２０は，よって回転可能にハウジング１６に結合され，固定基準線１０７の静止軸に同軸状にアラインされた軸の回りに回転する
 … 
 　【００４２】 
 　図２Ｆは，光伝送デバイス１１１を用いたボックス１２内での光伝送の簡略化された図を示す。図２Ｆで示されるように，図２Ａに示されるステージ２０４の位置について，光は試料１０６から放射され，ミラー１２１で反射され，固定基準線１０７に沿って伝送される。」 
 
　
（１−ケ）「【００４６】 
 　
移動機構２０２によって提供される２つの自由度の動きは，カメラ２０による画像キャプチャのために，ステージ２０４および試料１０６が固定基準線１０７に対して複数の角度で位置することを可能にする
移動機構２０２および光伝送デバイス１１１は協働してステージ２０４上の試料１０６からの光を固定基準線１０７およびレンズ１００に導くことによって，カメラ２０を用いて画像をキャプチャする
円形パスの周りに試料１０６の全３６０度の角度の視点を提供する
　
（１−コ）「【００７０】 
 　今度は図５を参照して，プロセスフロー５００は，本発明のある実施形態による画像化システム１０を用いて写真および発光画像をキャプチャする方法を示す。プロセスフロー５００は，発光を画像化されるべき試料または検査対象物を画像化ボックス１２内のステージ２０４上に置くことによって始まる。入力に基づいて，移動機構２０２は，コンピュータ２８によって与えられる制御信号に従ってステージ２０４を対応する位置に移動させる（５０４）。光伝送デバイス１１１はまた，コンピュータ２８によって与えられる制御信号に従って再位置決めする。画像化ボックス１２および関連する画像要素は，それから試料の写真画像キャプチャのために準備される（５０６）。準備は，画像化および取り込みソフトウェア（例えば，カリフォルニア州アラメダのXenogen Corporationによって提供される「LivingImage」）をコンピュータ２８上に立ち上げること，およびカメラ２０を初期化することを含みえる。さらなる準備には，ドア１８を閉じること，ソフトウェア中の写真キャプチャオプションをアクティベートすること，カメラ２０を試料または動物の特定の深さにフォーカスを合わせること，およびボックス１２内でライトを点灯させることが含まれえる。準備にはまた，レンズ１００のフォーカスを合わせること，選択的に適切なレンズフィルタ１１８を位置付けること，Ｆストップを設定することなどが含まれえる。 
 　【００７１】 
 　写真画像がそれからキャプチャされる（５０８）。ある実施形態においては，試料をリアルタイムで観察するために，試料の写真的画像化のあいだには「ライブモード」が用いられる。ライブモードは，ライブビデオをシミュレーションするのに充分に頻繁に撮られる写真画像群のシーケンスを含む。写真キャプチャが終わると，写真画像データは，画像処理ユニット２６および／またはコンピュータシステム２８内のプロセッサに転送される（５１０）。これらは，コンピュータモニタ３８上に表示するためにデータを処理するのと共に，写真画像データを操作および格納するのに用いられえる。 
 　【００７２】 
 　その後，ステージ２０４を同じ位置にしたままで，画像化装置１０は，発光画像キャプチャのために準備される（５１２）。この準備には，コンピュータ２８を用いた発光露光時間およびビニングレベルの選択，および内部空間４４内のライトの消灯が含まれえる。準備が整うと，ＣＣＤカメラ２０はそれから発光画像を所定の期間にわたってキャプチャ（５１４）する（数分に至るまで）。発光画像データは，画像処理ユニット２６および／またはコンピュータシステム２８内のプロセッサに転送される（５１６）。 
 　【００７３】 
 　この時点で，
ユーザは発光画像データを，コンピュータディスプレイ３８上に表示するために処理する
 　【００７４】 
 　所望であれば，ステージ２０４はそれから第２の位置に移動されえる（５２０）。ステージが第２位置にあるとき，試料の１つ以上の写真および／または発光画像が上述のようにキャプチャされえる。それぞれの画像キャプチャが完了すると，コンピュータ２８のプロセッサはそれから画像データを受け取る。画像取り込みは，試料の代替の位置および視点から試料の画像をキャプチャすることによってさらに続く。【００７５】 
 　説明されたように，光子放射データは，画像キャプチャ期間の持続するあいだにわたって光子を検出するＣＣＤカメラ２０上の特定のピクセルを表現しえる。併せて，試料の構造化光写真表現および試料の発光表現も組み合わされて，構造化光スーパーポジションまたはオーバレイ画像を形成する。画像化装置１００は典型的には試料１０６全体を測定するのに用いられるので，発光表現のデータは典型的には，興味の対象となる１つ以上の別個の発光部分を持つ。 
 　【００７６】 
 　ある実施形態において本発明は，画像キャプチャのあいだに構造化光の使用を含む。この場合，画像化装置１００は，生物発光源を含む小さな動物の画像群のシーケンスを提供する。この画像群のシーケンスは，異なる視点角度において撮られ，動物内の生物発光源の位置，明るさ，および大きさを再構築するのに必要な情報を提供する。いったん画像がプロセッサ２８によって受け取られると，本発明と共に使用するのに適したある適切な再構築アルゴリズム（または反転アルゴリズム）は，拡散光学トモグラフィである。拡散光学トモグラフィを適用するためには，動物の３Ｄ表面トポロジを決定し，生物発光放射をこの表面上にマッピングすることが必要である。ある実施形態において，３Ｄ表面トポロジは，構造化光投影システムを用いて達成される。 
 　【００７７】 
 　構造化光は，表面の法線についてある角度で（例えば約３０度で）対象物上に投影される光の一連の線群を用いる。この線群は対象物を通過するときに曲げられ，この線群の曲がりを用いて構造化光投影機１７０によって照射される全ての位置における表面の高さを決定できる。図２Ａに示されるように，構造化光投影機１７０は，光伝送デバイス１１１に取り付けられ，光伝送デバイス１１１と共に回転する。この場合，構造化光投影機１７０は，スライドが光源によって照射され，それからスライドの画像が動物に投影されるケーラー照明システムからなる。投影角度は，空間解像度を得るために充分な線群の「曲がり」を得るのに充分なだけ大きく，大きな影が存在しないように充分小さい。 
 　【００７８】 
 　構造化光の画像がカメラ２０で撮られる。２−Ｄ構造化光画像がキャプチャされ，記憶された後で，コンピュータ２８はそれから構造化光データを処理して構造化光表現を生成する（５２２）。当業者には理解されるように，構造化光画像から表面を再構築する多くの従来のアルゴリズムが存在する。例えば，画像上の全ての点におけるそれぞれの線の位相のずれは，計算上効率的な２Ｄフーリエ変換から決定されえる。実際の表面高はそれから，位相マップを「アンラップ（unwrapping）」することによって計算される。 
 　【００７９】 
 　それぞれの構造化光画像は，動物のほぼ対向する半面だけについて表面トポロジを提供する。
いくつかの視点角度から，例えば約４５度おきに画像を撮ることによって，動物の３Ｄ表面の全体が，それぞれの視点から得られた部分的な表面の再構築物を併せて「縫い合わせる」ことによって再構築されえる
 　 
 　上記記載事項（１−ア）〜（１−コ）と図面（特に，図１，図２Ａ〜Ｆ参照）の図示とを総合すると，引用刊行物１には，次の発明が記載されているものと認められる。 
 　 
 「生物学的試料の画像をカメラでキャプチャする画像化システム（１０）であって， 
 　内部空間を閉じる一組の壁を持つ画像化ボックス（１２）と， 
 　前記画像化ボックス（１２）の前記一組の壁のうちの一つに取り付けられ，カメラレンズ（１００）の中心を通る固定基準線（１０７）を有する，前記生物学的試料の放射および反射光による２−Ｄ発光画像をキャプチャするＣＣＤカメラ（２０）と， 
 　前記固定基準線（１０７）の回りに回転するミラーアセンブリ（１２０）を有する，前記生物学的試料から放射または反射された光を前記固定基準線（１０７）に伝達する光伝送デバイス（１１１）と， 
 　前記生物学的試料を支持するよう構成されるステージ（２０４）を含む可動ステージ装置（２００）と， 
 　前記ＣＣＤカメラ（２０）によってキャプチャされた前記２−Ｄ発光画像を表示するディスプレイ（３８）とを備え， 
 　前記可動ステージ装置（２００）と前記光伝送デバイス（１１１）は協働して前記生物学的試料から反射または放射された光を前記固定された基準線（１０７）に導くことによって，前記生物学的試料の全３６０度の角度の視点を提供するものである画像化システム（１０）。」（以下，引用発明という。） 
　
 （２）本願出願前に頒布され当審の拒絶理由にて引用した刊行物である特開２００５−３００９６１号公報（以下，「引用刊行物２」という。）には，「多方向観察装置」に関し，図面の図示とともに次の事項が記載されている。 
 　 
 （２−ア）「【０００１】 
 　この発明は，同一の観察対象物を異なる複数の方向から観察可能な多方向観察装置に関するものである。 
 【背景技術】 
 　【０００２】 
 　従来，
観察対象物を横方向から観察する観察装置としては，例えば，非特許文献１に示された構造のものがある。この観察装置は，撮像手段から観察対象物までの光路をミラーによって屈曲させて，斜め方向から観察対象物を撮像するようになっている。撮像手段に向かう光軸回りにミラーを回転させることにより，ワークを傾けることなく，観察対象物を３６０°のあらゆる方向から観察することができるようになっている
 　　【非特許文献１】「マイクロスコープ／デジタル顕微鏡：オムロン制御機器」，[online]，［平成１６年４月６日検索］，インターネット＜URL:　http://www.fa.omron.co.jp/sensing/selection/eizou/vc-hr/tokucho.html＞ 
 【発明の開示】 
 【発明が解決しようとする課題】 
 　【０００３】 
 　
しかしながら，このような構造の観察装置では，観察対象物に焦点を合わせた後には，ミラーの回転のみによって容易に全周にわたる画像を撮像可能であるが，撮像手段に向かう光軸がミラーによって遮られているために，撮像手段は，観察対象物を直接撮像することができない。このため，斜め方向からの画像のみを用いて焦点合わせを行うことになるが，この場合には，ミラーを回転させたときにピントが合う位置は１カ所に限られる場合が多く，ミラーを回転させて異なる方向から観察するたびに焦点合わせを行う必要があるという煩わしさがある
　
 （２−イ）「【発明の効果】 
 　【００１４】 
 　本発明によれば，
同一の観察対象物を異なる複数の方向から観察した場合の画像を同一の撮像手段によって簡易に取得することができる
　
 （２−ウ）「【発明を実施するための最良の形態】 
 　【００１５】 
 　本発明の一実施形態に係る多方向観察装置について，図１〜図３を参照して以下に説明する。 
 　本実施形態に係る多方向観察装置１は，図１に示されるように，観察対象物であるＩＣチップＳの裏面に設けられた端子Ｓ１の長さ寸法を計測する装置であって，光源２と，該光源２からの光を偏向するハーフミラー３と，ハーフミラー３により偏向された光をＩＣチップＳの裏面に結像させる第１の結像光学系４と，ＩＣチップＳの裏面において反射され，第１の結像光学系４およびハーフミラー３を透過した光を撮像するＣＣＤ（荷電結合素子：Charge Coupled Device）のような撮像素子（撮像手段）５と，該撮像素子５とハーフミラー３との間に配置され，ハーフミラー３を透過した光を撮像素子５の撮像面に結像させる第２の結像光学系６と，ＩＣチップＳの裏面に対し間隔を空けて配置される焦点位置補正部材７とを備えている。図中符号８は，撮像された画像を表示するモニタ，符号９は，ＩＣチップＳを搭載するステージである。 
 　【００１６】 
 　焦点位置補正部材７は，図２（ａ）に示されるように，正方形のＩＣチップＳの外形寸法より，若干大きな間隔をあけて，ＩＣチップＳの各辺に沿って配置される４個のプリズム（以下，プリズム７という。）により構成されている。各プリズム７は，同図（ｂ）に示されるように，相互に対向する側面の下部に，下方に向かって漸次中心から離れる方向に傾斜する傾斜面７ａを備えている。この傾斜面７ａの傾斜角度は，水平に配置された前記ＩＣチップＳの裏面に対して６０°の角度をなしており，ＩＣチップＳの裏面に直交する光路Ｌ１に対して６０°の角度をなした方向からＩＣチップＳの端子Ｓ１を観察できるようになっている。 
 　【００１７】 
 　言い換えると，水平に配置されたＩＣチップＳを鉛直上方から見ると，図２（ａ）に示されるように，４個のプリズム７によって囲まれた空間にＩＣチップＳ全体を見ることができるとともに，４個のプリズム７の上端面には，３０°斜め上から見たＩＣチップＳを見ることができるようになっている。 
 　すなわち，図２（ｂ）に示されるように，ＩＣチップＳを直接鉛直上方から見る第１の光路Ｌ１と，プリズム７を介して斜め上方４方向からＩＣチップＳを見る第２〜第５の光路Ｌ２〜Ｌ５とが形成されている。図２（ｂ）には，説明の簡単のために光路Ｌ１，Ｌ２，Ｌ４を示し，光路Ｌ３，Ｌ５は省略している。第１の光路Ｌ１と第２〜第５の光路Ｌ２〜Ｌ５とは，異なる光路長を有している。 
 　【００１８】 
 　本実施形態においては，第２〜第５の光路Ｌ２〜Ｌ５は，空気光路とプリズム７内の光路とを備え，例えば，図３に示されるように，空気光路長Ｂと，プリズム７内の光路長Ｃ１＋Ｃ２＋Ｃ３とを足し合わせた光路長を有している。プリズム７の屈折率をｎとすると，第２〜第５の光路Ｌ２〜Ｌ５の空気換算光路長Ａ２は，Ａ２＝Ｂ＋（Ｃ１＋Ｃ２＋Ｃ３）／ｎとなる。本実施形態においては，第１の光路Ｌ１の光路長をＡ１として，Ａ１＝Ａ２となるようにプリズム７の屈折率ｎが選択されている。その結果，第１の光路Ｌ１とその他の光路Ｌ２〜Ｌ５とは空気換算光路長において一致することとなるので，各光路Ｌ１〜Ｌ５上の焦点位置をＩＣチップＳのそれぞれの観察位置に一致させることにより，全ての光路Ｌ１〜Ｌ５上における同一の観察対象物であるＩＣチップＳの像を同時に撮像素子５の撮像面に結像させることができるようになっている。」 
　
 （２−エ）「【００２８】 
 　… 
 　図８は撮像素子５の撮像面に撮像される画像を示している。撮像面は，画像処理の便宜上図８中に鎖線で示されるように，中央の領域Ｐ，周囲の領域Ｑ１〜Ｑ４に分割されているものとする。」 
　
 （２−オ）「【００４６】 
 　なお，上記各実施形態においては，
観察対象物としてＩＣチップＳを例に挙げて説明したが，これに限定されるものではなく，異なる方向から観察することが望まれる任意の観察対象物を観察するのに適用してもよい
　
 （３）本願出願前に頒布され当審の拒絶理由にて引用した刊行物である特開平５−６０５３８号公報（以下，「引用刊行物３」という。）には，「光学測定機」に関し，図面の図示とともに次の事項が記載されている。 
　
 （３−ア）「【０００１】 
 　　【産業上の利用分野】 
 　本発明は，
被測定物の底面像と側面像とを同時に観察測定し得るようにした光学測定機に関する
 　　　【０００２】 
 　　【従来の技術】 
 　従来より，例えば足型を測定する場合には，その底面像と側面像とを観察測定する必要があり，この底面形状と側面形状とをレーザー光を利用してスキャンすることで計測するようにした測定機が実用化されている。 
 　　　【０００３】 
 　　【発明が解決しようとする課題】 
 　しかして，上記のようなレーザー光を利用した測定器では，装置が大型となってコスト面でも不利となる。すなわち，
被測定物の底面像と側面像とを別途の方向からそれぞれ観察するものでは，複数の撮像装置もしくは計測装置が必要となり，像を得るための機構，装置が複雑となるものであり，撮像後の底面像と側面像との照合も必要となる
 　　　【０００４】 
 　
そこで本発明は上記事情に鑑み，被測定物の底面像と側面像とを同一視野内に隣接して観察できるようにした光学測定機を提供することを目的とするもの
　
 （３−イ）「【００１６】 
 　そして，前記被測定物Ｗの側部上方には，被測定物Ｗの底面像WAおよび側面像WBを同時に撮影するテレビカメラ等の撮像装置18が設置されている。すなわち，
この撮像装置18で撮影される画像は，図２に示すように，前記第１の反射手段12および第２の反射手段13によって反射された被測定物Ｗの底面像WAに隣接して前記第３の反射手段14によって反射された被測定物Ｗの側面像WBが同一視野Ｓ内に位置している
　
 （３−ウ）「【００２５】 
 ＜実施例３＞ 
 　図４に本例の光学測定機の測定部を示し，本例の測定部30では被測定物Ｗの底面像と側面像との見掛上の物体距離が同一となるようにしている。 
 　　　【００２６】 
 　本例の測定部30における第１の反射手段12はプリズムによる透明媒体26で形成され，該プリズム26の斜面26a によって被測定物Ｗの底面像WAを側方に反射する。また，上記プリズム26の上面26b は被測定物Ｗの試料台を兼ねている。一方，第２の反射手段13および第３の反射手段14は，第１の実施例と同様に平面鏡で構成され，底面像WAおよび側面像WBを上方に反射する。 
 　　　【００２７】 
 　さらに，上記第２の反射手段13によって被測定物Ｗの底面像WAが上方に反射され，撮像装置18に至る光路の途中にはガラスによる補助的な透明媒体27が介在されている。前記，プリズムおよびガラスによる両透明媒体26,27 は屈折率が大きく，この部分を通過する底面像WAはその通過長さと屈折率に応じて見掛上の物体距離が短くなる。 
 　　　【００２８】 
 　なお，前記第１の反射手段12としてのプリズム26の反射斜面26a をハーフミラーに構成し，第２の実施例と同様にこのハーフミラー26a を介して被測定物Ｗの底面の照明を行うようにしている。その他は第１の実施例と同様の構造に形成されている。 
 　　　【００２９】 
 　本例によれば，
実際の光路長が側面像WBの方が底面像WAより短くなっているのを，前記底面像WAを屈折率の大きな透明媒体26,27 を通過させることにより短縮して同等とし，撮像装置18におけるピントを合わせる物体距離が底面像WAと側面像WBとで一致し，両像のピントおよび倍率が同一となって鮮明な画像が得られ，精度のよい測定が可能となる
 　　　【００３０】 
 ＜実施例４＞ 
 　図５に示す本例は第３の実施例の変形例であり，第１の反射手段12は実施例２と同様の平面鏡で構成し，第２の反射手段13をプリズムによる透明媒体28で構成したものであり，前記ガラスによる補助的な透明媒体27とによって底面像WAの見掛上の物体距離を短縮する機能が図４と同様に得られる。他の構造は実施例２と同様に構成されている。 
 　　　【００３１】 
 　なお，図４および図５の例においては，底面像WAの光路中にプリズムによる透明媒体26,28 と，ガラスによる補助的な透明媒体27とを介在させて，底面像WAの見掛上の物体距離が側面像WBの物体距離と一致させるようにしているが，これは一方の透明媒体では通過距離が不足することから配設しているものであり，屈折率が高い物質によって構成した場合，または，光学系の変更により実際の光路長が変更した場合になどにおいては，一方の透明媒体の配設で所定の機能が得られることもある。さらに，上記透明媒体としてはガラスの他，水などの屈折率の高い物質によって構成することが可能である。 
 　　　【００３２】 
 ＜実施例５＞ 
 　図６に示す本例は第３の実施例のさらに他の変形例であり，第１の反射手段12および第２の反射手段13を一体のプリズムによる透明媒体29で構成したものであり，この透明媒体29の両側の傾斜面29a,29b がそれぞれ第１および第２の反射手段12,13 に構成され，第１の反射手段12の上方の上面29c が被測定物Ｗを載置する試料台を兼ねている。そして，この例では，プリズム29内の光路が長く補助的な透明媒体を要さずに，底面像WAの見掛上の物体距離を短縮する機能が図４と同様に得られる。 
 　　　【００３３】 
 ＜実施例６＞ 
 　図７に本例の光学測定機の測定部を示すものであって，この例の測定部40では被測定物Ｗの他方の側面像WCも得るように構成したものである。 
 　　　【００３４】 
 　第１〜第３の反射手段12〜14は第１の実施例と同様に構成され，試料台11の被測定物Ｗの底面像WAおよび一方の側面像WBが同時に第１の撮像装置18に撮影される。 
 　　　【００３５】 
 　また，第１の実施例の背景部材19は除去され，前記第３の反射手段14と反対側の被測定物Ｗの側方には，被測定物Ｗの他方の側面像WCを上方に反射する第４の反射手段21が配設されている。この第４の反射手段21としては，例えば，平面鏡が第１の反射手段12と同様の傾きで配設されて構成され，この他方の側面像WCを撮影する第２の撮像装置22が被測定物Ｗの他方の側部上方に配設されている。 
 　　　【００３６】 
 　本例によれば，簡単な構造によって被測定物Ｗの底面像WAに加えて両方の側面像WB,WC を得ることができる。なお，光源16は第２の実施例のように第１の反射手段をハーフミラーに構成して下方から照明するようにしてもよく，また，底面像WAの光路に第３の実施例のように見掛けの物体距離を調整するプリズム，透明媒体を介装してもよい。 
 　　　【００３７】 
 　
本発明における被測定物Ｗは前記各実施例のような足に限らず，２方向もしくは３方向からの画像が必要な各種物品に対して適用可能である
　
 （３−エ）「【００３８】 
 　　【発明の効果】 
 　上記のような光学測定機によれば，試料台の下方に被測定物の底面像を側方に反射する第１の反射手段と，この第１の反射手段によって反射された底面像を上方に反射する第２の反射手段と，被測定物の側面像を第２の反射手段で反射された底面像に隣接して上方に反射する第３の反射手段とを設置したことにより，試料台に載置した被測定物の底面像と側面像とを隣接して同時に同一視野内に観察することができ，被測定物の２面像を簡易な構成によって得ることができるものである。」
　
 （４）本願出願前に頒布され当審の拒絶理由にて引用した刊行物である特開平８−２９１４６号公報（以下，「引用刊行物４」という。）には，「物品側面撮像装置」に関し，図面の図示とともに次の事項が記載されている。
　
 （４−ア）「【０００１】 
 　　【産業上の利用分野】 
 　この発明は，物品側面撮像装置に関し，たとえば，電子部品の表面検査を行うために電子部品の側面を撮像する物品側面撮像装置に関する。」
　
 （４−イ）「【００２８】 
 　図６および図７は，この発明の第２実施例を示している。図６において，図１と同じものには同じ符号を付してその説明を省略する。 
 … 
 【００３０】 
 　また，この第２実施例では，保持体３０内において，四角錐台体２００の真上位置に，
対象物品１の上面像に対するピントを対象物品１の側面像に対するピントに合致させるための凸レンズ７０が配置されている
 … 
 【００３３】 
 　対象物体１の上面から出た光は，凸レンズ７０を介して撮像手段５０に受光される。したがって，対象物体１の上面像も撮像手段５０によって撮像される。 
 【００３４】 
 　凸レンズ７０は，対象物品１の上面像に対するピントを対象物品１の側面像に対するピントに合致させるために設けられている。つまり，
凸レンズ７０を設けない場合には，対象物品１の側面から出た光が撮像手段５０に受光されるまでの光路長に対して，対象物品１の上面から出た光が撮像手段５０に受光されるまで光路長が短くなり，側面像と上面像とのピントが合致しなくなる。そこで，凸レンズ７０によって対象物品１の上面より下方の位置に対象物品１の上面の虚像を結像させることによって，対象物品１の上面の虚像位置からの撮像手段５０までの光路長を，対象物品１の側面位置から撮像手段５０までの光路長に等しくしている
 【００３５】 
 　図９（ａ）は対象物品１の側面から出た光が撮像手段５０に受光されるまでの光路を示し，図９（ｂ）は対象物品１の上面の虚像位置から出た光が撮像手段５０に受光されるまで光路を示している。図９において，５１は撮像手段５０の集光レンズを示している。図９（ｂ）において，点Ｆは凸レンズの焦点を示し，点Ｐ１は対象物品１の実際の上面位置を示し，点Ｐ２は対象物品１の上面の虚像位置を示している。」 
　
 （４−ウ）「【００３７】 
 　上記第１実施例または第２実施例によれば，対象物品の側面を１台の撮像手段によって撮像できる。また，撮像時においても，搬送ラインによる対象物品の搬送に支障をきたすことのない位置に，第１および第２反射手段を配置させることができるので，従来例のように対象物体が撮像位置にくる度に，反射手段を昇降させる必要がない。上記第２実施例によれば，さらに，
１台の撮像手段によって対象物品の上面と側面とを同時に撮像できるという利点
 【００３８】 
 　上記実施例では，
対象部品として平面からみて正方形のものが用いられているが，平面からみて正方形以外の対象部品に対してもこの発明を適用することができる
　
 （５）本願出願前に頒布され当審の拒絶理由にて引用した刊行物である国際公開第２００５／０８３３９９号（以下，「引用刊行物５」という。）には，「多方向同時観察光学系，画像読み取り装置，画像読み取り方法および多方向同時観察光学系複合体」に関し，図面の図示とともに次の事項が記載されている。
　
（５−ア）「【技術分野】 
 　【０００１】 
 　本発明は多方向同時観察光学系，画像読み取り装置，画像読み取り方法および多方向同時観察光学系複合体に係り，特に，被検物体を各面から高精度に同時観察することができ，検査等の効率を高めることのできる，多方向同時観察光学系，画像読み取り装置，画像読み取り方法および多方向同時観察光学系複合体に関する。  
 【背景技術】 
 　【０００２】 
 　各産業分野における品質管理その他の目的のために，被検物体外観の多方向からの観察・測定が要望される場合がある。  
 　
図１２は，被検物体の多方向からの観察方法の従来例を示す説明図である。図示するように，面１ｂ，１ｃ，１ｅ等を備えてなる被検物体を観察する場合，その正面・背面・左右側面・平面・底面すなわち六面方向からの観察により，その外観を把握することができるが，ここでは，読み取り装置４０７を適宜移動させて被検物体観察の方向を変えることで，多方向（表裏・左右・上下など）からの観察がなされる。多方向からの観察を１台の読み取り装置４０７の移動により行う場合は，読み取り装置４０７の位置決定には，相当複雑かつ高度な移動機構が必要であり，その設定には労力と時間を要する
 　【０００３】 
 　
あるいはかかる方法を採らない場合は，任意の一方向から観察し，観察する被検物体を動かし向きを変えることもなされているが，被検物体の移動と位置決めに相当の労力・煩雑さが伴い，また作業効率や観察精度向上に限界がある
 … 
 　【０００８】 
 　さて，図１２を用いて上述した従来例では，被検物体を多方面から観察・計測する場合，所要時間を抑制するために，観察方向の違う位置に固定した読み取り装置４０７を必要台数設置することによっても対応がなされてきた。しかし，かかる方法は時間節約になったとしても，一方コストを押し上げることとなっている。  
 　【０００９】 
 　図１３は，披検物体面４０１とレンズ４０５，および像面４０３の関係を示した説明図である。図において，レンズ４０５の端部位置４０６から被検物体面４０１までの距離をワーキングディスタンス（以下ＷＤ）４０２と称するが，通常，固定倍率のレンズのＷＤは変化することはない。図に示す結像位置関係を満足しないと合焦面（ピント面）がボケてしまい，読み取り装置から鮮明な映像を出力することができない。  
 　【００１０】 
 　図１４は，コスト抑制のために読み取り装置の設置数量を減らし，被検物体（図中，立方体）を多方向から観察するシステムの配置構成を示した説明図である。図示するようにこの方法では，平面ミラー４０３０ａ〜４０３０ｆを用いて，被検物体面１ａ〜１ｆの六面の映像をレンズ４０５に導くよう平面ミラー配置関係を調整する。ここで各面のＷＤを比較すると，（１）２ａ〜２ｄは共通，（２）２ｅ，（３）２ｆ　の三通りの違った値となる。かかるＷＤの相違の発生により，この方法では合焦面がボケてしまい，六面の被検物体面を同時に正確に観察できる読み取り装置とはなっていない。  
 　【００１１】 
 　他方，かかる観察系を人間の目に置き換えて目視で観察する場合を考えると，三通りの値をとるＷＤに対して人間の目は自動的にピント調整をすることができるため，六面の被検物体面の同時観察において，読み取り装置における不都合が多少は軽減される。しかしながら，視線を移動する時間と手間は必要となるため，観察にはよけいに労力と時間を伴い，疲労を招き，観察精度の低下を早期に招くこととなる。  
 　【００１２】 
 　そこで本発明が解決しようとする課題は，上記従来技術の問題点を除き，被検物体を各面から高精度に同時観察することができ，検査等の効率を高めることのできる，多方向同時観察光学系，画像読み取り装置，画像読み取り方法および多方向同時観察光学系複合体を提供することである。」 
　
（５−イ）「【００３６】 
 　図において本発明多方向同時観察光学系は，上述の構成に加え，前記側面画像取得用プリズム系１４５Ａ等および底面画像取得用プリズム系１８５Ｆにはそれぞれ，前記光路方向転換用プリズム１４Ａ等の上方に，被検物体１１の上面を除く各面のＷＤを上面のＷＤと同一にするための光路長補正用プリズム１５Ａ，１５Ｂ，１５Ｆ等または光路長補正用プリズム機能（以下，まとめて「光路長補正用用プリズム」ともいう。）が設けられた構成とすることができる。  
 　かかる構成により本多方向同時観察光学系では，該光路長補正用プリズム１５Ａ，１５Ｂ，１５Ｆ等により，被検物体１１の上面を除く各面のＷＤが上面のＷＤと同一となるように補正される，つまりかかる補正により，各面からの像についてＷＤが等しくなり，合焦面（ピント面）が合い，読み取り装置においては鮮明な映像の出力を得ることができる。 
 　ここで該光路長補正用プリズム１５Ａ，１５Ｂ，１５Ｆ等は，被検物体の形状や大きさに応じた光路長補正がなされるように，これらを適宜交換することにより，またはその他適宜の手段により，光路長調整可能に形成する構成をとることができる。」
　
（５−ウ）「【００４８】 
 　上述した側面の被検物体面の場合と同様に，下面の被検物体面１ｆからレンズ５までのＷＤ　２ｆと，上面の被検物体面１ｅからレンズ５までのＷＤ　２ｅの距離が，空気中の光路長に換算して同じに値になるように光路長補正用プリズム５０ｆならびに５０ｅ，および二つの反射面を持つ台形プリズム（または三角プリズム）８ａを配置する。それにより，被検物体の合焦面が合い，共通の読み取り装置で下面の被検物体面１ｆと上面の被検物体面１ｅを同時に観察できる。つまり，被検物体面の下面１ｆと上面１ｅの合焦面を，共通の読み取り装置において合わせることが可能となる。」
　
（５−エ）「【００８３】 
 　以上説明した多方向同時観察光学系を二以上用いることによって，たとえばサイズの相当大きな被検物体の多方向同時観察を可能とするような，多方向同時観察光学系複合体を構成することも可能である。  
 【産業上の利用可能性】 
 　【００８４】 
 　本発明の多方向同時観察光学系，画像読み取り装置，画像読み取り方法および多方向同時観察光学系複合体は上述のように構成されているため，被検物体を各面から高精度に同時観察することができ，検査等の効率を高めることができ，産業上利用価値が極めて高い発明である。」 
　
第４　対比・判断 
 （１）本願発明と引用発明との対比・判断 
 ア　対比 
  　本願発明と引用発明とを対比すると，その構造および機能からみて，引用発明の「生物学的試料」，「生物学的試料の画像をカメラでキャプチャする画像化システム（１０）」，「生物学的試料の放射および反射光による２−Ｄ発光画像」，及び「生物学的試料を支持するよう構成されるステージ（２０４）」は，それぞれ，本願発明の「生体試料」，「生体画像取得装置」，「試料ホルダー上の試料から放出される光の像」，及び「生体試料が載置される試料ホルダー」に相当する。 
 　 
 　また，引用発明の「ＣＣＤカメラ（２０）」は，「カメラレンズ（１００）」を備え，「生物学的試料の放射および反射光による２−Ｄ画像をキャプチャする」ものであって，ここで「２−Ｄ発光画像」とは「２次元発光画像」の意であることは明らかであるから，「ＣＣＤカメラ（２０）」は，技術常識に照らし，「カメラレンズ（１００）」の結像面上にＣＣＤ（電荷結合素子）２次元アレイ（２次元検出器）を有するもの，すなわち，本願発明の「試料ホルダー上の試料から放出される光の像を撮影する１つの２次元検出器」に相当するものであることは，明らかといえる。そして，引用発明の「ＣＣＤカメラ（２０）によってキャプチャされた前記２−Ｄ発光画像を表示するディスプレイ（３８）」は，本願発明の「２次元検出器が撮影した画像を表示する画像表示装置」に相当する。 
 　 
 　また，引用発明の「前記固定基準線（１０７）の回りに回転するミラーアセンブリ（１２０）を有する，前記生物学的試料から放射または反射された光を前記固定基準線（１０７）に伝達する光伝送デバイス（１１１）」は，「前記可動ステージ装置（２００）と…協働して前記生物学的試料から反射または放射された光を前記固定された基準線（１０７）に導くことによって，前記生物学的試料の全３６０度の角度の視点を提供するもの」であるから，本願発明の「試料ホルダー上の試料を複数の方向から同時に観測するとともに，試料から放出される各方向の光の画像を前記２次元検出器に同時に導く導光光学系」と，「試料ホルダー上の試料を複数の方向から観測するとともに，試料から放出される各方向の光の画像を前記２次元検出器に導く導光光学系」の点で共通するといえる。 
 　 
 　また，引用発明の「光伝送デバイス（１１１）」は，「ＣＣＤカメラ（２０）」の「カメラレンズ（１００）」より生物学的試料側に配置される，すなわち，「カメラレンズ（１００）」は「光伝送デバイス（１１１）」と「ＣＣＤカメラ（２０）」のＣＣＤ（電荷結合素子）２次元アレイとの間にあることは明らかといえるから，本願発明の「前記２次元検出器と導光光学系との間に配置され，前記導光光学系により導かれた複数の画像を前記２次元検出器上に結像する１つの主結像レンズ」に相当するといえる。 
 　 
 　そうすると，両者は，次の点で一致し，以下の点で相違するといえる。 
 　 
 ［一致点］ 
 「生体試料が載置される試料ホルダーと， 
 　前記試料ホルダー上の試料から放出される光の像を撮影する１つの２次元検出器と， 
 　前記２次元検出器が撮影した画像を表示する画像表示装置と， 
 　前記試料ホルダー上の試料を複数の方向から観測するとともに，試料から放出される各方向の光の画像を前記２次元検出器に導く導光光学系と， 
 　前記２次元検出器と導光光学系との間に配置され，前記導光光学系により導かれた複数の画像を前記２次元検出器上に結像する１つの主結像レンズと，を備えた生体画像取得装置。」　 
 　 
 ［相違点］ 
 　「導光光学系」に関し，本願発明のものは「前記試料ホルダー上の試料を複数の方向から同時に観測するとともに，試料から放出される各方向の光の画像を前記２次元検出器に同時に導く」とともに「試料の異なる部位の画像を反射して前記２次元検出器に導く複数の反射鏡からなる多面反射鏡を含むとともに，試料の軸方向に垂直な１つの方向に前記主結像レンズと２次元検出器を配置し，前記導光光学系の反射鏡は試料の軸方向と平行な直線を含む面を反射面としてもつ」ものであるのに対して，引用発明の「光伝送デバイス（１１１）」はこのような構成を有していない点。 
 　 
イ　判断 
 　上記相違点について検討する。 
 　 
　一般に，対象物を異なる複数の方向から観察した場合の画像を，プリズムや反射鏡の複数の反射面を用いて同一の撮像手段により同時に取得する多方向撮像装置は，例えば，引用刊行物２〜５に例示されるように，本願出願前に周知の技術的事項である。
　また，複数の反射鏡からなる多面反射鏡も本願出願前に周知の技術的事項である。 
　さらに，試料の軸方向とは，適宜設定するものといえるから，「試料の軸方向に垂直な１つの方向に前記主結像レンズと２次元検出器を配置し，前記導光光学系の反射鏡は試料の軸方向と平行な直線を含む面を反射面としてもつ構成」は，「１つの方向に前記主結像レンズと２次元検出器を配置し，」「前記導光光学系の反射鏡は」それに垂直な「直線を含む面を反射面としてもつ構成」となって，試料を観察する方向を決めることとなるから，当業者が必要に応じて適宜成し得る設計事項にすぎない。 　 
　
 　そして，上記の従前周知の技術（特に，引用刊行物２の記載事項（２−ア）及び引用刊行物５の記載事項（５−ア）参照）に照らし，引用発明の画像化システムの構成では，生物学的試料を全３６０度の角度の視点から撮像可能ではあるものの，異なる複数の方向から生物学的試料を撮像するためにミラーアセンブリ（１２０）を回転させながら可動ステージ装置（２００）を移動させる必要があるところ，その都度焦点合わせを行う必要があること，複雑な移動機構を要すること，多方向からの撮像のために時間・労力がかかること等の課題が内在することは当業者にしてみれば自明である。 
 　 
 　そうしてみると，引用発明において，異なる方向から生物学的試料を撮像するための構成として，従前周知のプリズムや反射鏡の複数の反射面を用いて複数の反射鏡からなる多面反射鏡を含むものとして同一の撮像手段により同時に取得する多方向撮像装置を採用することは，十分動機付けがあるといえ，「試料の軸方向に垂直な１つの方向に前記主結像レンズと２次元検出器を配置し，前記導光光学系の反射鏡は試料の軸方向と平行な直線を含む面を反射面としてもつ構成」することが，上述のように当業者が必要に応じて適宜成し得る設計事項にすぎないので，上記相違点に係る本願発明のように構成することは，当業者が容易に想到し得たものであるといえる。
　
　そして，このように構成したことによる作用効果は，引用刊行物１の記載，および周知の技術的事項から当業者が予測し得る範囲内のものにすぎない。
　
　したがって，本願発明は，引用発明，および周知の技術的事項に基づき当業者が容易に発明をすることができたものである。
　
第５　むすび 
　以上のとおり，本願発明は，引用発明，および周知の技術的事項に基づいて当業者が容易に発明をすることができたものであるから，特許法第２９条第２項の規定により特許を受けることができない。
　したがって，その他の請求項について言及するまでもなく，本願出願は拒絶されるべきものである。　 
　よって，結論のとおり審決する。